(57)【要約】【課題】バンド巻き付け部に傷が付きやすいという問題を解消すること。【解決手段】パネル３０の貫通孔３１に装着されるグロメット本体部２と、該グロメット本体部２に連設されたチューブ３と、を有するグロメット１に電線束Ｗを挿通させた状態で、前記チューブ３の外周にバンド１０を巻き付けて締め付け固定したグロメットのバンド締め付け構造であって、前記チューブ３のバンド巻き付け部５の外周面上に環状の凸部７を設け、該環状の凸部７の頂部に前記バンド１０を巻き付けることで、バンド１０の幅方向の両端縁１０ａをチューブ３の外周面から浮いた状態に保持した。【選択図】図１
2008017637.tif 000002
【特許請求の範囲】
【請求項１】
パネルの貫通孔に装着されるグロメット本体部と、該グロメット本体部に連設されたチューブと、を有し、前記グロメット本体部および前記チューブの内部に電線束を挿通させた状態で、前記チューブの外周にバンドが巻き付けられて締め付け固定されるグロメットであって、
前記チューブの外周面上に形成された環状の凸部を更に有し、
前記環状の凸部の頂部に前記バンドが巻き付けられたときに、当該バンドの幅方向の両端縁を前記チューブの外周面から浮かせるために前記環状の凸部が設けられていることを特徴とするグロメット。
【請求項２】
前記環状の凸部の側方に、該環状の凸部の外径よりも大きな外径を有し、前記バンドが所定以上に動くことを防止するリブを設けたことを特徴とする請求項１に記載のグロメット。
【請求項３】
パネルの貫通孔に装着されるグロメット本体部と、該グロメット本体部に連設されたチューブと、を有するグロメットに電線束を挿通させた状態で、前記チューブの外周にバンドを巻き付けて締め付け固定したグロメットのバンド締め付け構造であって、
前記チューブの外周面上に環状の凸部を設け、当該環状の凸部の頂部に前記バンドを巻き付けることで、当該バンドの幅方向の両端縁を前記チューブの外周面から浮いた状態に保持したことを特徴とするグロメットのバンド締め付け構造。
【発明の詳細な説明】
【技術分野】
【０００１】
本発明は、例えば、自動車のダッシュパネルの貫通孔を通して、ワイヤハーネスをエンジンルーム側から車室内に配索する場合に、ワイヤハーネスの外周とパネル貫通孔の間に配設されることで、ワイヤハーネスとパネルの隙間を封じることのできるグロメット、および、そのグロメットを外周からバンドで締め付ける場合のバンド締め付け構造に関する。
【背景技術】
【０００２】
従来、自動車のエンジンルームに配索するワイヤハーネスには、エンジンルームと車室とを仕切るダッシュパネルの貫通孔を通す部分にグロメットを外装し、当該グロメットをパネルの貫通孔に嵌着することで、車室への浸水防止を図っている。
【０００３】
このグロメットには、エンジンルーム側にワイヤハーネスを無理なく配索するために、蛇腹状のチューブを一体に連設してあり、当該チューブの一部にバンドクランプを取り付け、当該バンドクランプで車体にワイヤハーネスを固定している（例えば、特許文献１参照）。
【０００４】
図４（ａ）は従来のバンドクランプを取り付けたグロメットの部分の断面図、図４（ｂ）は図４（ａ）のＩＶｂ部の拡大図である。
【０００５】
従来は、図４（ａ）に示すように、バンドクランプのバンド１０を、電線束Ｗの挿通されたチューブ２０のストレート部分２０ａの外周に巻き付けた上で締め付けているが、締め付け状態において、バンド１０の幅方向の両端縁（エッジ部）１０ａがチューブ２０の外周面に当たっているので、車両の振動等に伴い、その部分〔図４（ｂ）の矢印Ｓで示す部分〕に応力が集中しやすく、それにより、チューブ２０の外周に傷が付きやすいという問題があった。
【０００６】
【特許文献１】特開２０００−３１１５３４号公報
【発明の開示】
【発明が解決しようとする課題】
【０００７】
本発明は、上述した事情に鑑みてなされたものであり、その目的は、バンド巻き付け部に傷が付きやすいという問題を解消することのできるグロメット、および、グロメットのバンド締め付け構造を提供することにある。
【課題を解決するための手段】
【０００８】
前述した目的を達成するため、本発明に係るグロメットは、下記（１）および（２）を特徴としている。
（１）  パネルの貫通孔に装着されるグロメット本体部と、該グロメット本体部に連設されたチューブと、を有し、前記グロメット本体部および前記チューブの内部に電線束を挿通させた状態で、前記チューブの外周にバンドが巻き付けられて締め付け固定されるグロメットであって、
前記チューブの外周面上に形成された環状の凸部を更に有し、
前記環状の凸部の頂部に前記バンドが巻き付けられたときに、当該バンドの幅方向の両端縁を前記チューブの外周面から浮かせるために前記環状の凸部が設けられていること。
（２）  上記（１）の構成のグロメットにおいて、
前記環状の凸部の側方に、該環状の凸部の外径よりも大きな外径を有し、前記バンドが所定以上に動くことを防止するリブを設けたこと。
【０００９】
上記（１）の構成のグロメットによれば、環状の凸部の頂部にバンドを巻き付けることにより、バンドの幅方向の両端縁をチューブの外周面から浮かせた状態で、バンドをチューブの外周に締め付けることができる。従って、チューブの外周面にバンドの両端縁が強く干渉することがなくなり、チューブの外周面に極力傷が付いたり亀裂が発生したりしないようにすることができる。また、バンドの巻き付け位置に環状の凸部があるので、バンドの巻き付け位置を目視で確認しやすくなる。
上記（２）の構成のグロメットによれば、環状の凸部の側方に、該環状の凸部の外径よりも大きな外径のリブを設けたので、バンドを正しい巻き付け位置に位置決めすることができる。
【００１０】
また、上記目的を達成するため、本発明に係るグロメットのバンド締め付け構造は、下記（３）を特徴としている。
（３）  パネルの貫通孔に装着されるグロメット本体部と、該グロメット本体部に連設されたチューブと、を有するグロメットに電線束を挿通させた状態で、前記チューブの外周にバンドを巻き付けて締め付け固定したグロメットのバンド締め付け構造であって、
前記チューブの外周面上に環状の凸部を設け、当該環状の凸部の頂部に前記バンドを巻き付けることで、当該バンドの幅方向の両端縁を前記チューブの外周面から浮いた状態に保持したこと。
【００１１】
上記（３）の構成のグロメットのバンド締め付け構造によれば、バンドの幅方向の両端縁をチューブの外周面から浮かせた状態で締め付けているので、チューブの外周面にバンドの両端縁が強く干渉するのを防止することができ、チューブの外周面に極力傷が付いたり亀裂が発生したりしないようにすることができる。また、バンドの巻き付け位置に環状の凸部があるので、バンドの巻き付け位置を目視で確認しやすくなる。
【発明の効果】
【００１２】
本発明によれば、グロメットのバンド巻き付け部に傷が付きやすいという問題を解消できる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
図１（ａ）は実施形態のグロメットの取付状態を示す側面図、図１（ｂ）は図１（ａ）のＩｂ部の拡大断面図、図２は図１（ｂ）のチューブの部分を示す外観図、図３は図２のチューブの部分の変形例を示す斜視図である。
【００１６】
本実施形態のグロメット１は、ダッシュパネル３０の貫通孔３１に装着されるグロメット本体部２と、該グロメット本体部２に連設された長尺のチューブ３と、を有している。チューブ３の主要長さ部分は、周壁が薄肉化されている上に蛇腹状に形成されることで、可撓性を付与されている。
【００１７】
このグロメット１は、内部に電線束Ｗを貫通させた状態で、グロメット本体部２をダッシュパネル３０の貫通孔３１に嵌着させることにより、ダッシュパネル３０に固定される。また、このグロメット１には長尺のチューブ３が一体に設けられているので、電線束Ｗを覆ったチューブ３の適当な位置にバンド１０を取り付けることで、チューブ３と共に中の電線束Ｗを車体に固定することができるようになっている。バンド１０による固定部は、第１固定部Ｋ１と第２固定部Ｋ２の２箇所設けられている。
【００１８】
主要長さ部分が蛇腹状に形成されたチューブ３には、バンド１０を巻き付ける部分に、蛇腹部分のように山部４ａや谷部４ｂの無いストレートなバンド巻き付け部５が設けられており、当該バンド巻き付け部５の外周面上に、頂部にバンド１０が巻き付けられたときに、バンド１０の幅方向の両端縁１０ａをチューブ３の外周面（より詳細には、バンド巻き付け部５の外周面）から浮かせるための環状（より具体的には、リング状）の凸部７が設けられている。
【００１９】
環状の凸部７は、図１および図２の例では、チューブ３の軸線方向に間隔をおいて複数（図１および図２の例では２個）設けられている。この場合の環状の凸部７は、図２に示すように、全周連続した凸部７ａとして形成してあってもよいし、図３に示すように、周方向に間隔的に並んだ多数の凸部７ｂの配列として形成してあってもよい。
【００２０】
また、チューブ３の外周面の環状の凸部７の側方には、環状の凸部７の外径よりも大きな外径を有し、バンド１０が所定以上に動くことを防止するリブ８が設けられている。
【００２１】
このグロメット１のチューブ３の外周にバンド１０を巻き付けて固定する場合は、図１（ｂ）に示すように、環状の凸部７の頂部上に該環状の凸部７に沿ってバンド１０を巻き付けて締め付けることにより、バンド１０の幅方向の両端縁１０ａを、チューブ３の外周面から浮かせた状態で保持する。
【００２２】
このように、バンド１０の幅方向の両端縁１０ａをチューブ３の外周面から浮かせた状態で締め付けた場合、チューブ３の外周面にバンド１０の両端縁１０ａが強く干渉するのを防止することができる。従って、チューブ３の外周面に極力傷が付いたり亀裂が発生したりしないようにすることができる。
【００２３】
また、バンド３の巻き付け位置に環状の凸部７を設けている場合、バンド１０の巻き付け位置を目視で確認しやすくなるという利点もある。
【００２４】
また、使用状態によっては、バンド１０の位置がすれてくることもあるが、環状の凸部７の側方に、環状の凸部７の外径よりも大きな外径のリブ８を設けているので、常にバンドを正しい巻き付け位置に保持しておくことができる。
【００２５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２６】
例えば、環状の凸部７の本数や断面形状等は任意に選択可能である。
【図面の簡単な説明】
【００２７】
【図１】（ａ）は本発明の実施形態のグロメットの取付状態を示す側面図、（ｂ）は（ａ）のＩｂ部の拡大断面図である。
【図２】前記グロメットのチューブの一部を示す外観図である。
【図３】チューブの一部の変形例を示す斜視図である。
【図４】（ａ）は従来のバンドクランプを取り付けた部分の断面図、（ｂ）は（ａ）のＩＶｂ部の拡大図である。
【符号の説明】
【００２８】
１：グロメット
２：グロメット本体部
３：チューブ
５：バンド巻き付け部
７：環状の凸部
８：リブ
１０：バンド
１０ａ：両端縁
Ｗ：電線束
３０：パネル
３１：貫通孔
【図１】
2008017637.tif 000003
【図２】
2008017637.tif 000004
【図３】
2008017637.tif 000005
【図４】
2008017637.tif 000006